【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
複数の色に対応する複数の発光手段と、
入力された映像信号に応じて前記複数の発光手段からの光を変調する変調手段と、
前記入力された映像信号に応じた１つのフレームに対応する期間中に、前記複数の発光手段を第１の発光モードと第２の発光モードで発光させる制御手段とを有し、
前記第１の発光モードは前記第２の発光モードよりも明るく短く発光する発光モードであることを特徴とする投影装置。
【請求項２】
前記制御手段は、
前記第１の発光モードでは、前記複数の発光手段を順次発光させ、前記第２の発光モードでは、前記複数の発光手段を同時に発光させるように前記複数の発光手段を制御することを特徴とする請求項１に記載の投影装置。
【請求項３】
前記制御手段は、前記第２の発光モードで発光される光の輝度は前記第１の発光モードで発光される光の輝度の合計よりも低く、前記第２の発光モードにおいて前記複数の発光手段が発光する時間は前記第１の発光モードにおいて前記複数の発光手段の何れかが発光する時間よりも長くなるように前記複数の発光手段を制御することを特徴とする請求項２に記載の投影装置。
【請求項４】
前記入力された映像信号に基づく隣接するフレームの間に表示させるための中間画像を生成する生成手段を更に有し、
前記制御手段は、
前記入力された映像信号に基づく元画像を表示させるために、前記複数の発光手段を前記第１の発光モードで発光させ、前記生成手段により生成された中間画像を表示させるために前記複数の発光手段を前記第２の発光モードで発光させることを特徴とする請求項１乃至３のうちいずれか１項に記載の投影装置。
【請求項５】
前記生成手段が生成する中間画像はモノクロ画像であることを特徴とする請求項４に記載の投影装置。
【請求項６】
前記制御手段は、
前記第１の発光モードでは、色が異なる前記複数の発光手段を順次発光させ、当該第１の発光モードに続く前記第２の発光モードでは、前記複数の発光手段を前記第１の発光モードと同一の順番で発光させるように前記複数の発光手段を制御し、
前記第２の発光モードで発光される光の輝度の合計は前記第１の発光モードで発光される光の輝度の合計よりも低く、前記第２の発光モードにおける各発光手段の発光時間は前記第１の発光モードにおける各発光手段の発光時間よりも長くなるように前記複数の発光手段を制御することを特徴とする請求項１に記載の投影装置。
【請求項７】
前記複数の発光手段は、赤色の光を発する発光手段と、緑色の光を発する発光手段と、青色の光を発する発光手段であることを特徴とする請求項１乃至６のうちいずれか１項に記載の投影装置。
【請求項８】
発光手段と、
前記発光手段からの光を透過するための複数の光学フィルターを有するフィルター手段であって、複数の異なる色に対応する光をそれぞれ透過させる複数のカラーフィルターおよび前記複数の異なる色に対応する光を透過させるグレーフィルターを少なくとも有するフィルター手段と、
入力された映像信号に応じた１つのフレームに対応する期間中に、前記発光手段からの光が前記複数の光学フィルターのそれぞれを透過するように前記フィルター手段を制御する制御手段と、を有し、
前記複数のカラーフィルターは前記グレーフィルターよりも透過する光が明るく透過時間が短いことを特徴とする投影装置。
【請求項９】
前記制御手段は、
前記複数のカラーフィルターと前記グレーフィルターが前記光を順番に透過するように制御することを特徴とする請求項８に記載の投影装置。
【請求項１０】
前記グレーフィルターを透過する光の輝度は、前記複数のカラーフィルターのそれぞれを透過する光の輝度の合計よりも低く、前記グレーフィルターを光が透過する時間は、前記複数のカラーフィルターのそれぞれを光が透過する時間よりも長くなるように、前記制御手段は前記フィルター手段を制御することを特徴とする請求項８または９に記載の投影装置。
【請求項１１】
前記入力された映像信号に基づく隣接するフレームの間に表示させるための中間画像を生成する生成手段をさらに有し、
前記制御手段は、
前記入力された映像信号に基づく元画像を表示させるために、前記複数のカラーフィルターに前記発光手段からの光を透過させ、前記生成手段により生成された中間画像を表示させるために、前記グレーフィルターに前記発光手段からの光を透過させることを特徴とする請求項８乃至１０のいずれか１項に記載の投影装置。
【請求項１２】
複数の色に対応する複数の発光手段と、入力された映像信号に応じて前記複数の発光手段からの光を変調する変調手段と、を有する投影装置の制御方法であって、
制御手段が、前記入力された映像信号に応じた１つのフレームに対応する期間中に、前記複数の発光手段を第１の発光モードと第２の発光モードで発光させる制御工程を有し、
前記第１の発光モードは前記第２の発光モードよりも明るく短く発光する発光モードであることを特徴とする投影装置の制御方法。
【請求項１３】
発光手段と、前記発光手段からの光を透過するための複数の光学フィルターを有するフィルター手段であって、複数の異なる色に対応する光をそれぞれ透過させる複数のカラーフィルターおよび前記複数の異なる色に対応する光を透過させるグレーフィルターを少なくとも有するフィルター手段と、を備える投影装置の制御方法であって、
制御手段が、入力された映像信号に応じた１つのフレームに対応する期間中に、前記発光手段からの光が前記複数の光学フィルターのそれぞれを透過するように前記フィルター手段を制御する制御工程を有し、
前記複数のカラーフィルターは前記グレーフィルターよりも透過する光が明るく透過時間が短いことを特徴とする投影装置の制御方法。  
【請求項１４】
コンピュータを、請求項１乃至１１のいずれか１項に記載の投影装置の制御手段として機能させるためのプログラム。
【手続補正２】
【補正対象書類名】明細書
【補正対象項目名】００１１
【補正方法】変更
【補正の内容】
【００１１】
上記の目的を達成する本発明の一つの側面に係る撮影装置は、複数の色に対応する複数の発光手段と、入力された映像信号に応じて前記複数の発光手段からの光を変調する変調手段と、前記入力された映像信号に応じた１つのフレームに対応する期間中に、前記複数の発光手段を第１の発光モードと第２の発光モードで発光させる制御手段とを有し、前記第１の発光モードは前記第２の発光モードよりも明るく短く発光する発光モードであることを特徴とする。
【手続補正３】
【補正対象書類名】明細書
【補正対象項目名】００１２
【補正方法】変更
【補正の内容】
【００１２】
あるいは、本発明の他の側面に係る撮影装置は、発光手段と、前記発光手段からの光を透過するための複数の光学フィルターを有するフィルター手段であって、複数の異なる色に対応する光をそれぞれ透過させる複数のカラーフィルターおよび前記複数の異なる色に対応する光を透過させるグレーフィルターを少なくとも有するフィルター手段と、入力された映像信号に応じた１つのフレームに対応する期間中に、前記発光手段からの光が前記複数の光学フィルターのそれぞれを透過するように前記フィルター手段を制御する制御手段と、を有し、前記カラーフィルターは前記グレーフィルターよりも透過する光が明るく透過時間が短いことを特徴とする。